(57)【要約】  本発明は、長手方向の軸に沿って形成された、インプラント延長部（２）を備える歯科用インプラント（１）に関し、歯科用インプラント（１）は、アピカルエンド（１ａ）、コロナルエンド（１ｂ）、アバットメントを受け入れ固定するための部分（１ｃ）を備え、インプラント延長部（２）は、インプラント（１）と共に１つの部品で形成され、長手方向の軸に沿ってアピカルエンド（１ａ）の端面から延在し、インプラント延長部（２）は、インプラント（１）のアピカルエンド（１ａ）の端面に直接接続され、インプラント延長部（２）に対してインプラント（１）が曲がったりねじれたりした場合、インプラント（１）がくびれ部（６）においてインプラント延長部（２）から切り離される小さな材料直径を備える所定のブレイクポイントとして設計される環状くびれ部（６）を備える長手方向の軸に沿って第１の部分（３）を有し、インプラント延長部（２）は、第１の部分（３）に続いて長手方向の軸に沿った、第２の部分（４）とスプラインシャフト部（５）を有し、第２の部分（４）とスプラインシャフト部（５）は、さらに第１の部分（３）よりインプラント（１）から離れ、第２の部分（４）は、長手方向の軸の方向に溝（７）を把持することによってインプラント延長部（２）を保持するように設計された外側環状溝（７）を長手方向の軸と垂直に有し、スプラインシャフト部（５）は、長手方向の軸の周りの回転に対して固定される方法で、インプラント延長部（２）を保持するように設計される。さらに本発明は、また根尖側に保持された歯科用インプラントを輸送する方法及びインプラントを根尖側に保持するインプラント延長部の使用に関する。
2021506512.tif 000002
【特許請求の範囲】
【請求項１】
長手方向の軸に沿って形成された、インプラント延長部（２）を備える歯科用インプラント（１）であって、
前記歯科用インプラント（１）は、アピカルエンド（１ａ）、コロナルエンド（１ｂ）、アバットメントを受け入れ固定するための部分（１ｃ）を備え、
前記インプラント延長部（２）は、前記インプラント（１）と共に１つの部品で形成され、前記長手方向の軸に沿って前記アピカルエンド（１ａ）の端面から延在し、
前記インプラント延長部（２）は、前記インプラント（１）の前記アピカルエンド（１ａ）の端面に直接接続され、前記インプラント延長部（２）に対して前記インプラント（１）が曲がったりねじれたりした場合、前記インプラント（１）がくびれ部（６）において前記インプラント延長部から切り離される小さな材料直径を備える所定のブレイクポイントとして設計される環状くびれ部（６）を備える前記長手方向の軸に沿って第１の部分（３）を有し、
前記インプラント延長部（２）は、前記第１の部分（３）に続いて前記長手方向の軸に沿った、第２の部分（４）とスプラインシャフト部（５）を有し、
前記第２の部分（４）と前記スプラインシャフト部（５）は、さらに第１の部分（３）より前記インプラント（１）から離れ、
前記第２の部分（４）は、前記長手方向の軸の方向に溝（７）を把持することによって前記インプラント延長部（２）を保持するように設計された外側環状溝（７）を前記長手方向の軸と垂直に有し、
前記スプラインシャフト部（５）は、前記長手方向の軸の周りの回転に対して固定される方法で、前記インプラント延長部（２）を保持するように設計される、インプラント延長部（２）を備える歯科用インプラント（１）。
【請求項２】
前記第２の部分（４）は、第１の部分（３）とスプラインシャフト部（５）の間に前記長手方向の軸に沿って配置される、請求項１に記載のインプラント延長部（２）を備える歯科用インプラント（１）。
【請求項３】
前記スプラインシャフト部（５）は、前記第１の部分（３）と前記第２の部分（４）の間に前記長手方向の軸に沿って配置される、請求項１に記載のインプラント延長部（２）を備える歯科用インプラント（１）。
【請求項４】
前記くびれ部（６）の材料直径は、０．４ｍｍから０．８ｍｍ、または好ましくは０．７ｍｍ未満、またはさらに好ましくは０．６ｍｍである、請求項１または２に記載のインプラント延長部（２）を備える歯科用インプラント（１）。
【請求項５】
前記くびれ部（６）の材料直径は、０．８ｍｍから１．２ｍｍ、または好ましくは１．０ｍｍ未満である、請求項１または２に記載のインプラント延長部（２）を備える歯科用インプラント（１）
【請求項６】
前記くびれ部（６）の材料直径は、前記くびれ部（６）が２５Ｎｃｍ未満または２０Ｎｃｍ未満または１０Ｎｃｍ未満または５Ｎｃｍ未満のねじれで壊れるように設計されている、請求項１乃至５のいずれか１項に記載のインプラント延長部（２）を備える歯科用インプラント（１）。
【請求項７】
前記くびれ部（６）は、前記第１の部分（３）の材料直径が前記インプラント（１）の前記アピカルエンド（１ａ）の端面において始まり前記長手方向の軸に沿って連続して増加するように設計されている、請求項１乃至６のいずれか１項に記載のインプラント延長部（２）を備える歯科用インプラント（１）。
【請求項８】
前記アピカルエンド（１ａ）の端面に直接当接する、前記インプラント延長部（２）の前記第１の部分（３）の第１の一部の部分の材料直径は、前記長手方向の軸に対して３５°未満、好ましくは３１°から２５°の傾きを有する、請求項７に記載のインプラント延長部（２）を備える歯科用インプラント（１）。
【請求項９】
前記歯科用インプラント（１）は、骨に前記歯科用インプラント（１）をねじで留めるために前記アピカルエンド（１ａ）と前記コロナルエンド（１ｂ）の間にねじ山を有する、請求項１乃至８のいずれか１項に記載のインプラント延長部（２）を備える歯科用インプラント（１）。
【請求項１０】
前記溝（７）は、前記インプラント延長部（２）が挿入されるチャネルを備える、カバー（１０）の例えば弾性スプリングアーム（３１）または同様の保持要素が、前記チャネルに前記インプラント延長部（２）を把持するために、前記溝に係合するように少なくとも１つの端部で外側に形成され、
前記端部は、同時にそこに係合する前記スプリングアーム（３１）または同様の保持要素とともに返し機能を形成するために、前記長手方向の軸に垂直に延在する環状表面を画定する、請求項１乃至９のいずれか１項に記載のインプラント延長部（２）を備える歯科用インプラント（１）。
【請求項１１】
前記スプラインシャフト部（５）は、前記長手方向の軸に沿って及び前記長手方向の軸の周りに、対応するものと回転防止ロックを作り出すために、少なくとも１つの側面平面部または溝または突起として少なくとも１つのスプラインシャフト部を有する、請求項１乃至１０のいずれか１項に記載のインプラント延長部（２）を備える歯科用インプラント（１）。
【請求項１２】
歯科用インプラントは、請求項１乃至１１のいずれか１項に記載のインプラント延長部（２）を備える歯科用インプラント（１）である、根尖側で保持された歯科用インプラントを輸送する方法。
【請求項１３】
輸送容器、特に輸送容器のカバーにインプラントを根尖側で保持する請求項１乃至１１のいずれか１項に記載のインプラント延長部（２）を備える歯科用インプラント（１）の使用。
【請求項１４】
前記インプラントは、前記輸送容器または前記輸送容器のカバーに根尖側で独占的に保持される、請求項１３に記載の使用。
【発明の詳細な説明】
【技術分野】
【０００１】
本発明は、請求項１のプレアンブルに記載の分離できるインプラント延長部を備える歯科用インプラントに関する。本発明は、また請求項１２のプレアンブルに記載の方法及び請求項１３のプレアンブルに記載の使用に関する。
【背景技術】
【０００２】
歯科用インプラントは、それらが安全に無傷で、決して汚染されず損傷されない環境下で、そこに到着するように製造者からそれぞれの治療する医師に輸送されなければならない。特別な容器は、例えば欧州特許第２２７９７０８号に開示されるそれらなど、この目的のためのパッケージとして開発された。従来技術において、それぞれの歯科用インプラントは、通常移植後アバットメントに接続されるコロナルエンドにおいてこの目的のために把持されて保持され、インプラントは、パッケージ容器または容器のストッパに対してアピカルエンドにおいて保持される。歯科用インプラントのパッケージは、または短い容器において、しばしば複雑で高価である。歯科用インプラントのアピカルエンドが輸送の間プラスチックと接触し、それに対してこすれて、プラスチック粒子が、歯科用インプラントに堆積する、孤立したケースにおいても起こる。
【０００３】
欧州特許第２２７９７０８号は、歯科用インプラントが把持され、歯科用インプラントが容器から取り外され、その後アダプタから取り外されるアダプタを備える容器を開示する。容器に及び容器から歯科用インプラントを安全に挿入し及び取り外すことは、しばしば問題がある。
【０００４】
一般に、歯科用インプラントは、容器に挿入されることと容器からそれを取り外すとき、医者にいかなるトラブルを引き起こすことなくまたはインプラントが手から飛ぶまたは落ちることなく、それを取り外すことの両方で容易であるべきである。容器からの歯科用インプラントの取り外しは、通常最初にアバットメントと係合するように設計された、コロナルエンドにおいて歯科用インプラントを保持し、容器またはそのカバーから引き抜くことによってなされる。
【０００５】
欧州特許公開第０９６３７３８号は、歯科用インプラントと１つの部品で、しっかりと形成され、容器のヘッドピースとしっかりと固定されたアピカル側インプラント延長部を備える歯科用インプラントを形成することを開示する。取り外しのため、歯科用インプラントは、カバーから歯科用インプラントを取り外すための所定のブレイクポイントが、回転及び／または座屈運動で手によって十分に容易に分離できるように、実際の歯科用インプラントとインプラント延長部の間で所定のブレイクポイントが設計される。この方法では、歯科用インプラントのアピカルエンドは、それ以外他の材料と接触せず、場合によっては周囲の液体と接触する。例えば、容器のヘッドピースは、ヘッドピースからインプラントを分離できるようにインプラント延長部に接着される。しかしながら、ヘッドピースに歯科用インプラントを接着することは、接着剤が歯科用インプラントに付着したり、液体に保存されている場合は液体に付着したりするので、問題があると考えられる。
【０００６】
欧州特許公開第１８３９６１７号は、特定の用途向けの、所定のブレイクポイントによってねじ留めインプラントの基礎部から分離できる端部を備えるねじ留めインプラントであって、端部は、回転対称にプロファイルされた表面構造、好ましくはノコギリ歯プロファイルを有することを記載する。欧州特許公開第１８３９６１７号から知られる端部は、主にあご骨にインプラントを永続的に、しっかりと固定することを促進するために、インプラントと共に留まる傾向がある。
【先行技術文献】
【特許文献】
【０００７】
【特許文献１】欧州特許第２２７９７０８号
【特許文献２】欧州特許公開第０９６３７３８号
【特許文献３】欧州特許公開第１８３９６１７号
【発明の概要】
【０００８】
本発明の目的は、従来技術から生じる不利を修正するために、したがって移植される歯科用インプラントの汚染のリスクをできるだけ最小限にして、輸送のためにそれに提供される容器にできるだけ容易に挿入され、またそれから再び取り外すことができる歯科用インプラントを提供することである。
【０００９】
上記目的は、独立請求項１の特徴による歯科用インプラントによって解決される。上記目的は、また請求項１２による根尖側に保持された歯科用インプラントを輸送する方法及び請求項１３による使用によって解決される。
【００１０】
本発明のさらなる有利な実施形態は、従属請求項に記載される。
【００１１】
本発明によると長手方向に沿って形成されたインプラント延長部を備える歯科用インプラントが提供される。
【００１２】
ａ）歯科用インプラントは、アピカルエンド、コロナルエンド、及びアバットメントを受け入れ固定する部分を備える。
【００１３】
ｂ）インプラント延長部は、インプラントと１つの部品で形成され、長手方向の軸に沿ってアピカルエンドの端面から延在する。
【００１４】
ｃ）インプラント延長部は、インプラントのアピカルエンドの端面に直接接続され、インプラント延長部に対してインプラントが曲がったりねじれたりした場合、インプラントがくびれ部においてインプラント延長部から切り離される小さな材料直径を備える所定のブレイクポイントとして設計される環状くびれ部を備える長手方向の軸に沿って第１の部分を有する。
【００１５】
ｄ）本発明によると、インプラント延長部は、第１の部分に続いて長手方向の軸に沿った、第２の部分とスプラインシャフト部を有し、第２の部分とスプラインシャフト部は、さらに第１の部分よりインプラントから離れる。
【００１６】
ｅ）第２の部分は、長手方向の軸の方向に溝を把持することによってインプラント延長部を保持するように設計された外側環状溝を長手方向の軸と垂直に有する。
【００１７】
ｆ）スプラインシャフト部は、長手方向の軸の周りの回転に対して固定される方法で、インプラント延長部を保持するように設計される。
【００１８】
溝により有利に歯科用インプラントが歯科用インプラントのための容器のカバーのマッチングチャネルにインプラント延長部によって挿入され、長手方向の軸に沿った溝によってそこに保持されることができる。この方法で、歯科用インプラントのための輸送容器であり、例えばカバー及びマッチングボトム容器を備える容器は、容易に形成され、歯科用インプラントは、歯科用インプラントが容器及びカバーから取り外されるとき、容易に歯科用インプラントを分離できるために、一度のみ十分にしっかりとカバーと接続されなければならない。チャネルは、例えば、歯科用インプラントが曲がりモーメントによってインプラント延長部から切り離されるように安定して設計され、溝は、そこに係合するスプリングアームまたは保持要素が、長手方向に沿って輸送の間十分にしっかりと歯科用インプラントを保持し、その結果、歯科用インプラントは、チャネルから落ちない確実にすることだけでよい。さらに、インプラントから分離した後、インプラント延長部は、カバーに保持される、またはカバーから落ちることを防ぐ。
【００１９】
好ましくは及び有利に、溝は、容器のカバーの保持要素またはスプリングアームを備える返し機能を形成する少なくとも１つの端部を含む。この方法で、歯科用インプラントは、ほとんど長手方向の力を加えなくても長手方向のカバーに挿入され、また再び引き抜かれることなく、またはより大きい力のみで、長手方向にしっかりと固定される。これは、歯科用インプラントが、カバーからまたはカバーのインプラント延長部からそれを取り外すとき、その後安全に切り離されることができることを意味する。
【００２０】
インプラント延長部に形成されるスプラインシャフト部は、有利にインプラント延長部が所定のブレイクポイントにおいてインプラントにねじれを与えることができ、そのためそれを切り離しまたはねじって離すことができるために、回転に対して安定で安全にカバーに保持されることを確実にする。
【００２１】
好ましくは及び有利に、くびれ部の材料直径は、０．４ｍｍから０．８ｍｍ、または０．８ｍｍから１．２ｍｍ、またはさらに好ましくは、１．０ｍｍ未満または０．７ｍｍ未満または０．６ｍｍ未満である。
【００２２】
好ましくは及び有利に、くびれ部の材料直径及び材料は、くびれ部が２５Ｎｃｍ未満、または２０Ｎｃｍ未満、またはさらに好ましくは１０Ｎｃｍ未満、またはもっとさらに好ましくは５Ｎｃｍ未満のねじれで壊れるように設計され、選択される。
【００２３】
好ましくは及び有利に、くびれ部は、第１の部分の材料直径がインプラントのアピカルエンドの端面において始まり、長手方向に沿って連続に増加するように設計される。
【００２４】
好ましくは及び有利に、アピカルエンドの端面に直接当接する、インプラント延長部の第１の部分の第１の一部の部分の材料直径は、長手方向の軸に対して３５°未満、好ましくは３１°から２５°の傾きを有する。
【００２５】
好ましくは及び有利に、歯科用インプラントは、骨に歯科用インプラントをねじ留めするためのアピカルエンド及びコロナルエンドの間のねじ山を有する。
【００２６】
本発明によると、インプラント延長部がインプラント本体をばらばらにすることなく、または非常にわずかにばらばらにするのみで分離されることができることが特に有利である。特に、本発明によるとアピカルエンドの配置は、全ての変更が本質的に円のくびれ部に限定されるので、インプラントの分離後、実際に変わらないまま残る。
【００２７】
本発明による好ましい実施形態は、次の図及び詳細な説明に描かれるが、それらは、これらの実施形態に排他的に本発明を限定する意図はない。
【図面の簡単な説明】
【００２８】
【図１−２ａ】図１は、インプラント延長部を有する歯科用インプラントの好ましい第１の実施形態の上の側面図と下の部分側面図を示し、当該歯科用インプラントは、アピカルエンドにおいてインプラント延長部を有する。図２ａは、図１のインプラント延長部を備える歯科用インプラントの概略斜視図を示す。
【図２ｂ】異なるインプラント延長部を備える歯科用インプラントの好ましい第２の実施形態の概略斜視図を示す。
【図２ｃ】異なるインプラント付属物を備える歯科用インプラントの好ましい第２の実施形態の側面図を示す。
【図３】カバーを備える下部容器部分からなる容器の３つの概略斜視図を示し、左上において、カバーが下部容器部分に接続されることを示し、右上において、下部容器部分が開いていることのみを示し、左下において、そこに挿入された歯科用インプラントを備えるカバーのみを示す。
【図４】その部品として中間接続要素、ホルダ、クリップ要素を備える図３のカバーと歯科用インプラントの概略斜視分解図を示す。
【図５】そこに挿入される歯科用インプラントを備えるカバーの部分側面図を示す。
【図６】歯科用インプラントのためのカバーのホルダの、図の左に概略斜視図と、図の右に部分側面図を示す。
【図７】歯科用インプラントのためのカバーのクリップ要素の、図の左に上面図と図の右に部分側面図を示す。
【図８】内側から部品を備えるカバーの概略斜視図を示す。
【発明を実施するための形態】
【００２９】
図１及び２ａは、長手方向の軸に沿って形成されたインプラント延長部２を備える歯科用インプラント１の第１の好ましい例示的な実施形態を示す。図３−８は、歯科用インプラントを保持及び輸送する対応する設計された容器を示す。
【００３０】
一般に、インプラント延長部２を備える歯科用インプラント１は、長手方向に沿って次に記載されるように設計される。
ａ）歯科用インプラント１は、アピカルエンド１ａ、コロナルエンド１ｂ、及びアバットメントを受け入れ固定する部分１ｃを備える。アバットメントを備える歯科用インプラントの接続は、外部と内部の両方に作られる。部分１ｃは、また適切な道具にアダプタ接続を形成する。
ｂ）インプラント延長部２は、インプラント１と１つの部品で形成され、長手方向の軸に沿ってアピカルエンド１ａの１つの端面から延在する。
ｃ）インプラント延長部２は、インプラント１のアピカルエンド１ａの端面に直接接続され、インプラント延長部２に対してインプラント１が曲がったりねじれたりした場合、インプラント１がくびれ部６においてインプラント延長部２から切り離される小さな材料直径を備える所定のブレイクポイントとして設計される環状くびれ部６を備える長手方向の軸に沿って第１の部分３を有する。
ｄ）本発明によると、インプラント延長部２は、第１の部分３に続いて長手方向の軸に沿った、第２の部分４とスプラインシャフト部５を有し、第２の部分４とスプラインシャフト部５は、さらに第１の部分３よりインプラント１から離れ、第２の部分４は、長手方向の軸の方向に溝７を把持することによってインプラント延長部２を保持するように設計された外側環状溝７を長手方向の軸と垂直に有する。スプラインシャフト部５は、長手方向の軸の周りの回転に対して固定される方法で、インプラント延長部２を保持するように設計される。
【００３１】
インプラント延長部２は、インプラント延長部２を保持することによって、そこにしっかりと歯科用インプラント１を保持し、輸送することができるために、輸送容器である容器のカバー１０に挿入されることができるように、設計される。容器または輸送容器は、好ましくは、例えばしっかりと一緒に閉じられ、歯科用インプラント１の取り外しのために開けられる、図３に示されるようにカバー１０と下部容器部分１４を備える。カバー１０において、好ましくは、インプラント延長部２が挿入されロックされるチャネルが形成される。
【００３２】
好ましくは、溝７は、カバーに弾性がなければならないカバー１０の例えばスプリングアーム３１または保持要素が溝に係合するように、少なくとも１つの端部を備えて設計され、スプリングアーム３１または保持要素は、端部または溝に返し機能を形成する。端部は、そのため溝のアピカルエンドにおいて形成され、インプラント延長部２がカバー１０から離れるように引っ張られるときスプリングアーム３１または保持要素が当接し、そこにインプラント延長部２を保持することが好ましい。端部は、また、そこに係合するスプリングアーム３１または保持要素で返し機能を形成するために、長手方向の軸に垂直に延在する環状表面の外側端部であることが好ましい。この方法で、歯科用インプラント１は、カバー１０にしっかりと挿入され、保持され、インプラント延長部２でカバー１０からそれを取り外すとき切り離される。
【００３３】
好ましくは、図１及び２ａに示されるように、スプラインシャフト部５のコロナル部において、円形セグメント状第１のくさび部８は、長手方向の軸の周りに形成され、間に横たわる第１のハブ８ａによって形成される。また、好ましくは示されるようにスプラインシャフト部５のアピカル外側部において、第２の円形セグメント状くさび部９は、長手方向の軸の周りに形成され、間に横たわる第２のハブ９ａによって形成される。好ましくは第２の溝は、第１のくさび部８と第２のくさび部９の間の長手方向に沿って形成され、そのカバーまたは一部の他のスプリングアームまたは同様の保持要素がそこにスナップ嵌めできるように役立つこともできる。第１のくさび部８と第２のくさび部９は、所定のブレイクポイント６によってインプラント延長部から歯科用インプラント１を分離し、切り離し、ねじって離す必要があるものより、大きなねじれトルクに耐えるように設計される。
【００３４】
図２ｂ及び図２ｃは、異なるインプラント延長部２を備える歯科用インプラント１の第２の好ましい実施形態を示し、スプラインシャフト部は角棒の形状で設計されることによってそこに形成され、それゆえ対応するものとして、ホルダ２０と連結して反回転特徴を形成する。明確性のために、用語反回転部は、また用語スプラインシャフト部の代わりの一般的な用語として用いられ、反回転部は、単に円形で回転対称でない特徴を有する。スプラインシャフト部５または反回転部は、ノッチまたは突起または平面部が設けられることが好ましい。言い換えると、スプラインシャフト部５は、長手方向の軸に沿って、長手方向の軸の周りに、対応するものと共に反回転特徴を生成するために、少なくとも１つの側面平面部、または溝または突起として少なくとも１つのスプラインシャフト部を有する。明確性のために、対応するものは、カバー１０のホルダ２０である。スプラインシャフト部５または反回転部の可能な断面形状は、正方形、長方形、星形、またはトルクス（登録商標）のような形状であることができる。
【００３５】
好ましくは、第２の部分４は、第１の部分３とスプラインシャフト部５の間に長手方向の軸に沿って配置される。代わりにスプラインシャフト部５は、第１の部分３と第２の部分４の間に長手方向の軸に沿って配置される。
【００３６】
好ましくは、くびれ部６の材料直径は、特に図２ａの実施形態において、０．４ｍｍから０．８ｍｍの範囲であり、特に、図２ｂまたは２ｃの実施形態において、０．８ｍｍから１．２ｍｍの範囲であり、さらに好ましくは、１．０ｍｍ未満（特に図２ｂまたは２ｃの実施形態において）または０．７ｍｍ未満または０．６ｍｍ未満（特に図２ａの実施形態において）である。
【００３７】
好ましくは、くびれ部６の材料直径は、くびれ部６が、２５Ｎｃｍ未満または２０Ｎｃｍ未満、またはさらの好ましくは１０Ｎｃｍ未満またはもっとさらに好ましくは５Ｎｃｍ未満のねじれで壊れるように設計される。
【００３８】
歯科用インプラント１は、例えばチタン、チタン合金または酸化ジルコニウムセラミックなどのセラミックなど、生体適合性材料で作られることが好ましい。
【００３９】
好ましくは、くびれ部６は、第１の部分３の材料直径が、インプラント１のアピカルエンド１ａの端面において始まり、長手方向の軸に沿って連続的に増加するように設計される。
【００４０】
好ましくは、アピカルエンド１ａの端面に直接当接するインプラント延長部２の第１の部分３の第１の一部の部分の材料直径は、長辺方向の軸に対して３５°未満、好ましくは３１°から２５°の傾きを有する。
【００４１】
好ましくは、歯科用インプラント１は、骨に歯科用インプラント１をねじ留めるためのアピカルエンド１ａからコロナルエンド１ｂの間のねじ山を有する。
【００４２】
図３−８は、歯科用インプラント１を保持し、輸送するのに適切な、容器及びその好ましい部分の例示的な実施形態を示す。可能であるならば、容器は、インプラント延長部２を備える歯科用インプラント１が落ちたり、ねじれることなく安全に、容易に挿入され、保持され、輸送されることができるように設計される。歯科用インプラント１は、カバー１０に挿入され、そこにロックされる。また容易に容器を開け、そこから歯科用インプラント１を取り外すことが可能である。
【００４３】
容器は、以下を備えるように設計される。
ａ）長手方向の軸の方向の外側に向かって開く第１の端部１１と外側に向かって閉じる第２の端部１２を備える長手方向の軸に沿って形成されるカバー１０。カバー１０は、第１の端部１１に開き、ホルダ２０を長手方向の軸に沿って配置する内部空間１５を囲い、当該ホルダは、長手方向の軸に沿って外側に開くチャネルを有し、チャネルは、インプラント延長部２を少なくとも一部受け入れ、そのため輸送の間歯科用インプラント１を保持するように形成される。
ｂ）第３の外側端部１４ａ及び反対の第４端部１４ｂを備える長手方向の軸に沿って管状に形成される下部容器１４であって、第３の端部１４ａは、しっかりと外側に封止される下部容器。
ｃ）下部容器１４の第４の端部１４ｂとカバー１０の第１の端部１１は、歯科用インプラント１が配置されるその間の実質的に気密及び液密空間を形成するために相互接続でき、相互に取り外し可能に設計される。
ｄ）長手方向の軸に向かうカバー１０において、少なくとも３つのスプリングアーム３１は、それらが長手方向の軸の周りに環状領域に沿って第１の外側端部３１ａにおいてカバー１０にそれぞれ接続され、それぞれの反対の第２の端部３１ｂと共に長手方向の軸に向かって等しく空間を空けられ、半径方向に弾性があるように形成され及び配置される。
ｅ）長手方向の軸に向かう第２の端部３１ｂは、それぞれインプラント延長部２がその最終位置にあるとき、インプラント延長部２に環状に形成された溝７に係合するように形成された突起３２を有する。
ｆ）スプリングアーム３１は、突起３２がインプラント延長部２の挿入の間、長手方向の軸から押しのけられ、最終位置で、長手方向の軸に垂直な把持力を備えるように溝７を押すように柔軟に、幾何的に設計される。
【００４４】
好ましくは、ホルダ２０は、長手方向の軸の周りに回転で固定された方法でカバー１０に接続され、チャネルは、部分の少なくとも長手方向の軸に沿ってスプラインハブ部または第２の反回転部を有する。スプラインハブ部またはまた呼ばれるように第２の反回転部は、それが最終位置においてインプラント延長部２のスプラインシャフト部または反回転部を備える回転固定反回転接続を形成するように設計される。明確性のために、用語「スプラインシャフト部」及び「第２の反回転部」は、この明細書でお互いにおいて同義語である。
【００４５】
好ましくは、スプラインハブ部は、長辺方向の軸の周りの回転動作によってインプラント延長部２からインプラント１を切り離すのに必要であるより、インプラント延長部２のスプラインシャフト部を保持するためにより大きいねじれ安定性を有する。ホルダのスプラインハブ部とインプラント延長部２のスプラインシャフト部の間のねじれ安定性は、インプラントが輸送及び格納の間しっかりと保持されることを確実にするために選択される。よく知られた方法で、インプラント延長部からインプラントを分離するために必要とされる低いトルク力は、輸送と格納の間のインプラントとインプラント延長部の間の接続の安全が確実にされ、同時に、インプラントまたはそのアダプタへの損傷が、インプラントが分離したときに起きないように選択される。
【００４６】
図６に示される例のように、ホルダ２０は、インプラント延長部２のスプラインシャフト部５と相補的なスプラインハブ部を有することが好ましく、ホルダ２０の第３のハブ２２は、少なくともインプラント延長部２の第１のくさび部８と合い、ホルダ２０の第３のくさび部２１は、少なくともインプラント延長部２の第１のハブ８ａと合い、しかしながら、好ましくは、ホルダ２０の第３のハブ２２は、インプラント延長部２の第１のくさび部８及び第２のくさび部９と合い、ホルダ２０の第３のくさび部２１は、回転固定接続を確立するためにインプラント延長部２の第１のハブ８ａと第２のハブ９ａと合う。上記されたように、スプラインハブ部または第２の反回転部は、インプラント延長部２のスプラインシャフト部５または反回転部と相補的である。
【００４７】
好ましくは、ホルダ２０のスプラインシャフト部とインプラント延長部２のスプラインシャフト部のねじれ安定性は、歯科用インプラント１が安全にインプラント延長部２及びカバー１０を切り離すことを確実にするために、２５Ｎｃｍより大きく、または２０Ｎｃｍより大きく、好ましくは１０Ｎｃｍより大きく、及び特に好ましくは５Ｎｃｍより大きい。
【００４８】
好ましくは、ホルダ２０は、１つの部品でカバー１０と接続される。代わりに、ホルダ２０は、２つの部品でまたは少なくとも１つの中間接続要素１３によってカバー１０に接続される。好ましくは、ホルダ２０は、カバー１０からブッシング分離するように設計され、カバー１０に向かって差し込み接続を有し、カバー１０と共に長手方向の軸に沿ってお互いに追い込まれ、それにより回転固定接続を形成する。好ましくは、差し込み接続は、ホルダ２０のスプラインハブ部とインプラント延長部２のスプラインシャフト部の間の接続のねじれ安定性より高いねじれ安定性を有する。
【００４９】
ホルダ２０とカバー１０の差し込み接続は、２つの要素が長手方向に沿ってお互いに塞がれたとき、ホルダ２０への回転固定接続は１つの端部において形成され、カバー１０への回転固定接続は、反対の端部において形成されるように、長手方向の軸に沿って形成される、分離中間接続要素１３を備えることが好ましい。中間接続要素１３は、例えばカバー１０にそれぞれの歯科用インプラント１を合わせる、異なるホルダ２０に接続されることができるための、アダプタ機能を有することができる。図４は、カバー１０とホルダ２０の間に配置され、それらを接続するそのような中間接続要素１３を示す。中間接続要素１３による接続は、回転固定接続であることが好ましく及び／またはねじれ抵抗接続であることが好ましい。中間接続要素１３は、また長手方向の軸に沿って長手方向に衝撃を吸収するために弾力的に形成されることもできる。
【００５０】
好ましくは、少なくとも３つのスプリングアーム３１は、例えば図７に示されるように、長手方向の軸の周りに形成される、クリップ要素３０として１つの部品で設計される。特に好ましくは、４つのスプリングアーム３１は、例えば、図７に示されるように、長手方向の軸の周りに形成される、１つのクリップ要素３０として１つの部品で形成される。クリップ要素３０は、適合され、押し進められ、ラッチされ、及び／またはねじ留めされた状態でねじれ抵抗方法で、カバー１０に接続されるために、長手方向の軸の方向にカバーに接続されることができる。言い換えると、クリップ要素３０は、カバー１０に直接接続を形成するように設計されることが好ましく、クリップ要素３０は、それにより長手方向の軸に沿ってカバーにホルダ２０を固定する。
【００５１】
好ましくは、カバー１０、ホルダ２０及びクリップ要素３０は、カバー１０の内部空間１５に、第１にホルダ２０がカバー１０に挿入され、次にクリップ要素３０は、ホルダ２０に設置され、お互いに接続される。好ましくは、クリップ要素３０及びカバー１０は、長手方向のカバー１０上のそれらの間でホルダ２０を保持するように形成される。
【００５２】
好ましくは、カバー１０は、中間接続要素１３、ホルダ２０及びクリップ要素３０は、カバー１０の内部空間１５において、第１に中間接続要素１３がカバー１０に、次に中間接続要素１３上へホルダ２０に、次にホルダ２０上へクリップ要素３０に挿入され、お互いに接続される。
【００５３】
好ましくは、クリップ要素３０は、ホルダ２０よりさらに柔軟な材料で作られ、及び／または図７に例示して示されるように、例えばスロットまたはスプリングアームウェブによって柔軟な形状で設計される。
【００５４】
好ましくは、第２の端部１２は、滑らないで下部容器１４から安全に解放できるように、カバー１０を相互に保持し、回転させることができるために外側に非円形グリップ表面を有する。
【００５５】
好ましくは、インプラント延長部２を保持するためのホルダ２０のチャネルは、インプラント１が曲げ切り離しによってインプラント延長部２から分離されるとき起きる、最終位置においてインプラント延長部２によって少なくとも１つの曲げモーメントに耐えることができるように少なくとも安定に設計される。本発明によると、用語「分離可能」または「分離」は例えば切り離しまたはねじり離しによる、任意のタイプの分離を含む。
【００５６】
明確のため、特徴「上に」及び「下に」は、図に示されるように垂直方向の相対位置を意味することが理解される。アピカルは、骨に配置され、さらにコロナルエンドよりアバットメントまたは歯のアタッチメントから離れる位置を指す。時々アピカルは、また挿入される歯科用インプラント１の場合において、歯医者に、遠位であると理解され、コロナルは、近位であると理解される。
【００５７】
他の可能な実施形態は、次の請求項に記載される。特に、上記された実施形態の様々な特徴は、またお互いに結合され、それらが相互技術的排他性なく提供される。
【００５８】
上記文章及び請求項で言及された符号は、より理解できることのためにのみ役立ち、決して図に表される形状に請求項を限定しない。
【符号の説明】
【００５９】
１      歯科用インプラント
１ａ    アピカルエンド
１ｂ    コロナルエンド
１ｃ    アダプタ接続
２      インプラント延長部（付属物）
３      第１の領域
４      第２の領域
５      スプラインシャフト部
６      くびれ部
７      溝
８      第１のくさび部（好ましくは円形部）
８ａ    第１のハブ
９      第２のくさび部
９ａ    第２のハブ
１０    カバー
１１    第１の端部
１２    第２の端部
１３    中間接続要素
１４    下部容器
１４ａ  第３の端部
１４ｂ  第４の端部
１５    内部空間
２０    インプラントのためのホルダ
２１    第３のくさび部
２２    第３のハブ
３０    クリップ要素
３１    スプリングアーム
３１ａ  第１の外側端部
３１ｂ  第２の外側端部
３２    突起（またはノーズ状隆起）
【図１】
2021506512.tif 000003
【図２ａ】
2021506512.tif 000004
【図２ｂ】
2021506512.tif 000005
【図２ｃ】
2021506512.tif 000006
【図３】
2021506512.tif 000007
【図４】
2021506512.tif 000008
【図５】
2021506512.tif 000009
【図６】
2021506512.tif 000010
【図７】
2021506512.tif 000011
【図８】
2021506512.tif 000012
【国際調査報告】
2021506512.tif 000013
2021506512.tif 000014
2021506512.tif 000015
2021506512.tif 000016